(57)【要約】【課題】店舗のリソースを有効活用して店舗における購入の利便性を高める技術を提供する。【解決手段】本発明は、販売管理システムに接続され、携帯端末を使用して店舗における商品の販売を支援するための販売支援装置を提供する。販売支援装置は、携帯端末によって撮像され、商品に紐づけられているコードによって表される情報を含むデータを受信する受信部と、コードに紐づけられている商品を格納するための仮想カートを提供する仮想カート提供部と、商品の仮想カートへの格納に応じて、販売管理システムが有する商品の在庫情報から商品を削除する在庫管理部と、商品の決済に応じて商品の購入を証明し、購入された商品と決済済みであることを所定のコードで表示する購入証明書を発行する購入証明書発行部とを備える。【選択図】図１
2018055507.tif 000002
【特許請求の範囲】
【請求項１】
販売管理システムに接続され、携帯端末を使用して店舗における商品の販売を支援するための販売支援装置であって、
前記携帯端末によって撮像され、前記商品に紐づけられているコードによって表される情報を含むデータを受信する受信部と、
前記コードに紐づけられている商品を格納するための仮想カートを提供する仮想カート提供部と、
前記商品の前記仮想カートへの格納に応じて、前記販売管理システムが有する前記商品の在庫情報から前記商品を削除する在庫管理部と、
前記商品の決済処理に応じて前記商品の購入を証明し、前記購入された商品と前記決済済みであることを所定のコードで表示する購入証明書を発行する購入証明書発行部と、
を備える販売支援装置。
【請求項２】
請求項１記載の販売支援装置であって、
前記購入証明書に表示されている前記所定のコードと、前記購入された商品に紐づけられ手表示されているコードとを読み取って照合する検品部とを備える販売支援装置。
【請求項３】
販売管理システムに接続され、店舗における商品の販売を支援するための販売支援システムであって、
請求項１又は２に記載の販売支援装置と、
前記携帯端末と、
を備え、
前記携帯端末は、
前記商品に紐づけられているコードを撮像し、コードによって表される情報を含むデータを前記販売支援装置に送信する送信部と、
前記仮想カートに前記商品を入れるための操作表示画面を表示する操作表示部と、
を有する販売支援システム。
【請求項４】
販売管理システムと携帯端末とを使用して店舗における商品の販売を支援するための販売支援方法であって、
前記携帯端末によって撮像され、前記商品に紐づけられているコードによって表される情報を含むデータを受信する受信工程と、
前記コードに紐づけられている商品を格納するための仮想カートを提供する仮想カート提供工程と、
前記商品の前記仮想カートへの格納に応じて、前記販売管理システムが有する前記商品の在庫情報から前記商品を削除する在庫管理工程と、
前記商品の決済に応じて前記商品の購入を証明し、前記購入された商品と決済済みであることを所定のコードで表示する購入証明書を発行する購入証明書発行工程と、
を備える販売支援方法。
【発明の詳細な説明】
【技術分野】
【０００１】
本発明は、販売支援装置、販売支援システム及び販売支援方法に関し、特にオンライン・ツー・オフライン（Ｏ２Ｏ）に関する。
【背景技術】
【０００２】
商品は、通販やインターネットショッピング、店舗での購入といった様々な方法で購入可能である。通販やインターネットショッピングでの購入は、自宅において簡単に実現できる一方、現物を確認できないという欠点がある。店舗での購入は、現物を確認できる一方、商品を抱えてレジに並ばなければならないという欠点がある。このような問題に対して、特許文献１の技術は、ウェブサーバーがサービス利用者を会員として登録し、登録された会員に仮想カートを設定し、商品の現物を確認した後にインターネット電子商取引システムにおいて商品を購入する方法を提案している。
【先行技術文献】
【特許文献】
【０００３】
【特許文献１】特表２００３−５３４６０６号公報
【発明の概要】
【発明が解決しようとする課題】
【０００４】
しかし、特許文献１の技術は、インターネット電子商取引システムにおいて店舗を単にショールームとして利用可能とするものであって、店舗における販売支援の観点では、店舗のリソースを有効活用しているとはいえず、十分な検討がなされていなかった。
【０００５】
本発明は、このような状況に鑑みてなされたものであり、店舗のリソースを有効活用して店舗における購入の利便性を高める技術を提供することを目的とする。
【課題を解決するための手段】
【０００６】
本発明は、販売管理システムに接続され、携帯端末を使用して店舗における商品の販売を支援するための販売支援装置を提供する。前記販売支援装置は、前記携帯端末によって撮像され、前記商品に紐づけられているコードによって表される情報を含むデータを受信する受信部と、前記コードに紐づけられている商品を格納するための仮想カートを提供する仮想カート提供部と、前記商品の前記仮想カートへの格納に応じて、前記販売管理システムが有する前記商品の在庫情報から前記商品を削除する在庫管理部と、前記商品の決済処理に応じて前記商品の購入を証明し、前記購入された商品と前記決済済みであることを所定のコードで表示する購入証明書を発行する購入証明書発行部とを備える。
【０００７】
本発明は、販売管理システムに接続され、店舗における商品の販売を支援するための販売支援システムを提供する。前記販売支援システムは、前記販売支援装置と、前記携帯端末とを備え、前記携帯端末は、前記商品に紐づけられているコードを撮像し、コードによって表される情報を含むデータを前記販売支援装置に送信する送信部と、前記仮想カートに前記商品を入れるための操作表示画面を表示する操作表示部と有する。
【０００８】
本発明は、販売管理システムと携帯端末とを使用して店舗における商品の販売を支援するための販売支援方法を提供する。前記販売支援方法は、前記携帯端末によって撮像され、前記商品に紐づけられているコードとを受信する受信工程と、前記コードに紐づけられている商品を格納するための仮想カートを提供する仮想カート提供工程と、前記商品の前記仮想カートへの格納に応じて、前記販売管理システムが有する前記商品の在庫情報から前記商品を削除する在庫管理工程と、前記商品の決済に応じて前記商品の購入を証明し、前記購入された商品と決済済みであることを所定のコードで表示する購入証明書を発行する購入証明書発行工程とを備える。
【発明の効果】
【０００９】
本発明によれば、店舗のリソースを有効活用して店舗における購入の利便性を高める技術を提供することができる。
【図面の簡単な説明】
【００１０】
【図１】本発明の一実施形態に係る販売支援システム１０の機能構成を示すブロックダイアグラムである。
【図２】一実施形態に係る販売支援システム１０における販売支援処理の内容を示すフローチャートである。
【図３】一実施形態に係る販売支援処理におけるスマートフォン２００の操作表示部２３０を示す説明図である。
【図４】一実施形態に係る販売支援システム１０における仮想カート処理の内容を示すフローチャートである。
【図５】一実施形態に係る販売支援システム１０における商品引渡処理の内容を示すフローチャートである。
【発明を実施するための形態】
【００１１】
以下、本発明を実施するための形態（以下、「実施形態」という）を、図面を参照して説明する。
【００１２】
図１は、本発明の一実施形態に係る販売支援システム１０の機能構成を示すブロックダイアグラムである。販売支援システム１０は、販売管理システムであるＰＯＳシステム２０に接続され、図示しない店舗に設置されている。店舗には、バーコードやＱＲコード（登録商標）を使ったマーキングを有する商品が陳列されている。ＰＯＳシステム２０は、購入料金の支払いのための自動釣銭機２１を有している。
【００１３】
販売支援システム１０は、販売支援装置１００と、複数のスマートフォン２００と、ビーコン送信機群３００とを備えている。販売支援装置１００は、制御部１１０と、画像形成部１２０と、操作表示部１３０と、記憶部１４０と、通信インターフェース部１５０と、自動原稿送り装置（ＡＤＦ）１６０とを備えている。画像形成部１２０は、原稿から画像を読み取って画像データを生成する画像読取部１２１を備える。
【００１４】
スマートフォン２００は、店舗に訪れた顧客の所有物であり、制御部２１０と、操作表示部２３０と、記憶部２４０と、通信インターフェース部２５０と、撮像部２６０とを備えている。スマートフォン２００は、販売支援装置１００と通信インターフェース部１５０と通信インターフェース部２５０とを使用して近距離無線通信で接続される。近距離無線通信は、本実施形態では、ＢＬＵＥＴＯＯＴＨ（登録商標）のＣＬＡＳＳ１を使用している。ＢＬＵＥＴＯＯＴＨ（登録商標）のＣＬＡＳＳ１は、出力１００ｍＷの通信であり、販売支援装置１００とスマートフォン２００との距離が１００ｍ以内程度での通信が可能な近距離無線通信である。
【００１５】
販売支援装置１００の操作表示部１３０及びスマートフォン２００の操作表示部２３０は、タッチパネルとして機能し、様々なメニューを入力画面として表示し、顧客の操作入力を受け付ける。
【００１６】
制御部１１０，２１０は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。また、制御部１１０は、各種Ｉ／Ｏ、ＵＳＢ（ユニバーサル・シリアル・バス）、バス、その他ハードウェア等のインターフェースに関連するコントローラ機能を備えている。制御部１１０，２１０は、それぞれ販売支援装置１００及びスマートフォン２００の全体を制御する。
【００１７】
記憶部１４０，２４０は、非一時的な記録媒体であるハードディスクドライブやフラッシュメモリー等からなる記憶装置で、それぞれ制御部１１０，２１０が実行する処理の制御プログラムやデータを記憶する。記憶部１４０には、スマートフォン２００にインストールするための販売支援アプリケーションプログラム１４１（単にアプリケーションとも呼ばれる。）が記憶されている。
【００１８】
ビーコン送信機群３００は、複数のビーコン送信機３０１〜３０３から構成されている。ビーコン送信機３０１は、店舗の出入り口の床（図示略）に埋設されている。ビーコン送信機３０２は、販売支援装置１００に設置されている。ビーコン送信機３０３は、サービスカウンタの近傍の床（図示略）に埋設されている。
【００１９】
本実施形態では、一例としてｉＢｅａｃｏｎ（登録商標）を使用している。ビーコン送信機群３００の管理は、販売支援装置１００の通信インターフェース部１５０と３個のビーコン送信機３０１〜３０３との間の双方向通信で行われる。これにより、販売支援装置１００は、３個のビーコン送信機３０１〜３０３の正常な作動を確認することができる。一方、３個のビーコン送信機３０１〜３０３は、０．１秒ごとに非同期で各ビーコンのブロードキャスト送信を行う。ブロードキャスト送信は、不特定多数に同じ情報を同時に送る一方通行の送信方法である。
【００２０】
ビーコンの送信は、Ｂｌｕｅｔｏｏｔｈ（登録商標）  Ｌｏｗ  Ｅｎｅｒｇｙ（ＢＬＥとも呼ばれる。）を使用して行われる。ＢＬＥは、低消費電力で通信を行うための規格である。これにより、３個のビーコン送信機３０１〜３０３は、一般的なボタン電池で数ヶ月の作動が可能となっている。
【００２１】
ビーコンは、Ｕｎｉｖｅｒｓａｌｌｙ  Ｕｎｉｑｕｅ  Ｉｄｅｎｔｉｆｉｅｒ（ＵＵＩＤ）とも呼ばれる識別子と、Ｍａｊｏｒ値と、Ｍｉｎｏｒ値とを含んでいる。本実施形態では、ビーコン送信機３０１〜３０３は、販売支援アプリケーションプログラム１４１に紐づけられている共通のＵＵＩＤを有している。ビーコン送信機３０１は、店舗の出入り口の位置を表すＭａｊｏｒ値を有している。ビーコン送信機３０２は、販売支援装置１００の近傍を表すＭａｊｏｒ値を有している。ビーコン送信機３０３は、サービスカウンタの位置を表すＭａｊｏｒ値を有している。なお、この例では、Ｍｉｎｏｒ値は使用されていない。
【００２２】
図２は、一実施形態に係る販売支援システム１０における販売支援処理の内容を示すフローチャートである。ステップＳ１００では、スマートフォン２００は、ビーコンを検知する。具体的には、スマートフォン２００は、店舗の出入り口の床（図示略）に埋設されているビーコン送信機３０１からのブロードキャスト送信によるビーコンを受信する。
【００２３】
スマートフォン２００は、ビーコンの受信に応じて、ビーコンに含まれているＵＵＩＤとＭａｊｏｒ値とを使用して販売支援装置１００にアクセスを求める。販売支援装置１００は、販売支援アプリケーションプログラム１４１がスマートフォン２００にインストール済みであるか否かを問い合わせる。
【００２４】
ステップＳ２００では、スマートフォン２００は、販売支援装置１００からの問い合わせに応じて販売支援システム１０に使用される販売支援アプリケーションプログラム１４１がスマートフォン２００にインストールされているか否かを判断する。インストール済みの場合には、処理がステップＳ５００に進められ、インストール済みでない場合には、処理がステップＳ３００に進められる。
【００２５】
図３は、一実施形態に係る販売支援処理におけるスマートフォン２００の操作表示画面２３１を示す説明図である。ステップＳ３００では、スマートフォン２００は、ソフトウェアインストール処理を開始する。具体的には、スマートフォン２００は、プッシュ通知によって、販売支援アプリケーションプログラム１４１のインストールの許可を顧客に求める操作表示画面２３１を表示する。スマートフォン２００は、顧客の許可に応じて、販売支援装置１００から販売支援アプリケーションプログラム１４１をダウンロードしてインストールする。
【００２６】
ステップＳ４００では、スマートフォン２００の顧客は、アカウント登録処理を実行する。アカウント登録処理は、顧客の個人情報を入力して個人アカウントを登録する処理である。アカウント登録処理では、ログイン名、パスワード、クレジットカード情報及び配送先となる住所等が登録される。
【００２７】
ステップＳ５００では、スマートフォン２００は、自動ログイン処理を実行する。自動ログイン処理では、スマートフォン２００は、販売支援装置１００にログイン情報（ログイン名及びパスワード）を送信し、販売支援装置１００による認証を経てログインされる。
【００２８】
ステップＳ６００では、販売支援装置１００の制御部１１０は、スマートフォン２００からの通信に応じて仮想カート処理を実行する。仮想カート処理は、物理的なカートを使用することなく、カートに商品を入れた状態を仮想的に作り出す処理である。このように、制御部１１０は、仮想カート提供部として機能する。
【００２９】
図４は、一実施形態に係る販売支援システム１０における仮想カート処理の内容を示すフローチャートである。ステップＳ６１０では、顧客は、スマートフォン２００の撮像部２６０を使用して商品のバーコードやＱＲコード（登録商標）をスキャンする。
【００３０】
ステップＳ６２０では、スマートフォン２００は、商品のバリエーションを提案する。具体的には、スマートフォン２００は、たとえば商品が洋服の場合には、色違いやサイズ違いの洋服を在庫状況とともに提案する。在庫状況は、展示されている洋服と倉庫内の洋服とを含む在庫を表す在庫情報を使用してＰＯＳシステム２０で管理される。在庫情報は、販売支援装置１００を介してスマートフォン２００に送信される。これにより、顧客は、店員に尋ねることなく、在庫状況やバリエーションに関する情報を得ることができる。
【００３１】
ステップＳ６３０では、顧客は、商品を仮想カートに入れる。具体的には、スマートフォン２００の操作表示部２３０上で商品Ａを選択した状態で、顧客Ａが仮想カートを示すアイコン（図示略）をタッチしたものとする。操作表示部２３０上の画面は、販売支援アプリケーションプログラム１４１によって表示されている。これにより、販売支援装置１００の制御部１１０は、商品がカート入れられた旨をＰＯＳシステム２０に送信し、ＰＯＳシステム２０は、商品Ａを仮購入済みとして在庫情報を更新する。すなわち、商品Ａは、在庫から一時的に削除されることになる。このように、制御部１１０は、在庫管理部として機能する。
【００３２】
仮購入は、物理的なカートを使用する場合には、顧客Ａのカートに商品Ａが入れられた状態に相当する仮想状態である。この仮想状態は、商品Ａは、仮に陳列棚に陳列されていても他の顧客が購入できない状態である。このように、仮想カート処理は、物理的なカートを使用することなく、カートに商品を入れた状態を仮想的に作り出す処理である。これにより、商品を確保した後にも店舗をほぼ手ぶらで見て回ることができるという利点がある。
【００３３】
ステップＳ６４０では、顧客は、入手方法（持ち帰り又は配送）を選択する。販売支援装置１００は、配送が可能な商品が仮想カートに入れられると、その旨をＰＯＳシステム２０に送信する。ＰＯＳシステム２０は、顧客Ａの住所が配送可能地域か否かの判断や配送料、納期といった事項の算出を行い、スマートフォン２００に送信する。スマートフォン２００は、その操作表示部２３０に表示し、「持ち帰り」と「配送」の選択を問い合わせる。
【００３４】
「配送」が選択された場合には、処理がステップＳ６５０に進められ、仮配送手配が実行される。仮配送手配は、顧客Ａの住所情報に基づいて仮に配送を予約する処理である。配送においては、予め登録されたアカウント情報から配送先等の情報を記入する必要がないため、配送手続きを簡易にできる。なお、操作表示部２３０は、アカウント情報とは異なる配送先を記入することもできる。一方、「持ち帰り」が選択された場合には、処理がステップＳ６６０に進められる。
【００３５】
ステップＳ６６０では、顧客は、ショッピング（商品の選択）を継続するか否かを決定する。ショッピングを継続する場合には、処理がステップＳ６１０に戻される。商品Ａを複数購入する場合には、商品Ａを複数回スキャンすることによって複数カートに入れることができる。この際、操作表示部２３０は、仮想カート内の商品のリストや購入金額を表示する。顧客は、いつでも購入金額を確認することが可能で、商品リストから購入をキャンセルしたい商品を選択し、最終的に購入する商品を決定することができる。販売支援システム１０は、商品のキャンセルに応じて、在庫情報が更新され、商品が物理的にカートから戻されることと同じ効果を生じさせることができる。
【００３６】
ショッピングが完了した場合には、処理がステップＳ７００（図２参照）に進められる。ステップＳ７００では、商品引渡処理が実行される。
【００３７】
図５は、一実施形態に係る販売支援システム１０における商品引渡処理の内容を示すフローチャートである。ステップＳ７１０では、顧客は、支払い方法を選択する。カードが選択された場合には、ネット決済が実行される（ステップＳ７２０）。現金が選択された場合には、ＰＯＳシステム２０が有する自動釣銭機２１への入金で支払うことができる（ステップＳ７３０）。自動釣銭機２１は、販売支援装置１００に隣接して設置されている。
【００３８】
自動釣銭機２１への入金による決済は、以下のようにして行われる。
（１）販売支援装置１００は、たとえば現金決済の選択に応じて、スマートフォン２００の操作表示部２３０に自動釣銭機２１の位置を表示させる。
（２）自動釣銭機２１への到着に伴い、スマートフォン２００は、自動釣銭機２１に隣接して設置されている販売支援装置１００に配置されているビーコン送信機３０２からのビーコンを受信し、ビーコンに含まれているＵＵＩＤとＭａｊｏｒ値とを使用して販売支援装置１００にアクセスを求める。
（３）販売支援装置１００は、顧客の仮想カート内の商品に応じて自動釣銭機２１に料金を表示させる。
（４）顧客は、料金を支払い、釣り銭を受け取る。自動釣銭機２１は、料金が支払われた旨を販売支援装置１００に送信する。
【００３９】
ステップＳ７４０では、販売支援装置１００の制御部１１０は、レシート発行処理を実行する。レシート発行処理では、顧客は、販売支援装置１００の操作表示部１３０においてスマートフォン２００に表示されているパスワードを入力することによって受け取ることができる。レシートは、購入証明書とも呼ばれ、商品名（持ち帰る個数を含む）や購入商品に関する情報を含むＱＲコード（登録商標）が印刷されている。パスワードの入力を要求するのは、他者が間違ってレシートを受け取らないようにするためである。このように、制御部１１０は、購入証明書発行部として機能する。
【００４０】
ステップＳ７５０では、顧客は、サービスカウンタに移動して検品と包装のサービスを受ける。サービスカウンタへの到着に伴い、スマートフォン２００は、サービスカウンタの近傍の床（図示略）に埋設されているビーコン送信機３０３からのビーコンを受信し、ビーコンに含まれているＵＵＩＤとＭａｊｏｒ値とを使用して販売支援装置１００にアクセスを求める。
【００４１】
検品は、画像形成部１２０の画像読取部１２１を使用し、店員によってレシートのＱＲコード（登録商標）と商品のバーコードをスキャンすることによって行われる。店員は、検品された商品を包装して顧客に引き渡し、商品や個数の不一致があれば、顧客に注意を喚起する。さらに、販売支援装置１００は、スキャンで取得したデータとスマートフォン２００から取得したデータとに基づいて商品や個数の一致性を確認して店員に知らせることができる。これにより、購入商品の間違い、個数の間違いや万引きを防ぐことができる。
【００４２】
サービスカウンタでは、支払い済みの顧客が検品や包装といった簡易なサービスを受けるだけなので迅速に処理が可能となる。一方、料金の支払いは機械化されているので、店舗側の人的負担を軽減することができる。
【００４３】
ステップＳ８００では、スマートフォン２００は、自動ログアウト処理を実行する。自動ログアウト処理は、店舗の出入り口に設置されているビーコン送信機３０１からのビーコン信号の受信に応じて、図３の操作表示画面２３１に類似の操作表示画面（図示略）を表示して顧客の許可を得て自動的に行われる。
【００４４】
このように、一実施形態に係る販売支援装置１００によれば、店舗のリソースを有効活用して店舗における購入の利便性を高めることができる一方、店舗側の人的負担を軽減することもできる。一方、購入者側にとっては、現物を確認できる一方、商品を抱えてレジに並ばなければならないという欠点も解消されている。
【００４５】
Ｃ．変形例：
本発明は、上記各実施形態だけでなく、以下のような変形例でも実施することができる。
【００４６】
変形例１：上記実施形態では、サービスカウンタで人間によってのみ検品処理が行われているが、販売支援装置１００において商品に付されているＩＣタグを使用して出入り口で自動的に検品処理を行うようにしてもよい。ただし、この際にもレシートは発行されることになる。
【００４７】
変形例２：上記実施形態では、スマートフォンが使用されているが、本発明は、無線通信が可能であればノートＰＣやタブレットといった携帯端末に適用可能である。なお、無線通信には、赤外線等による通信も含まれる。
【符号の説明】
【００４８】
１０  販売支援システム
１００  販売支援装置
１１０  制御部
１２０  画像形成部
１３０  操作表示部
１４０  記憶部
１５０，２５０  通信インターフェース部
１６０  自動原稿送り装置（ＡＤＦ）
２００  スマートフォン
２１０  制御部
２３０  操作表示部
２４０  記憶部
３０１〜３０３  ビーコン送信機
【図１】
2018055507.tif 000003
【図２】
2018055507.tif 000004
【図３】
2018055507.tif 000005
【図４】
2018055507.tif 000006
【図５】
2018055507.tif 000007